(57)【要約】      （修正有）【課題】検知端子とアース端子を結合し、配線板の空間を簡略化し、コスト削減も図ったユーザ識別モジュールコネクタを提供する。【解決手段】ユーザ識別モジュールコネクタであって、同一の接触域に配置された検知端子Ｃとアース端子Ｄが形成する回路を検知することでＳＩＭカード５０が定位置に挿入されたかを判断するので、ユーザ識別モジュールコネクタに別途検知端子の配置空間を設置することなく、配線板（ＰＣＢ）の簡素化だけでなく、コストを低減できる。【選択図】図５Ａ
0003193020.tif 000002
【実用新案登録請求の範囲】
【請求項１】
複数の第一端子、複数の前記第一端子に対応して設けられた第二端子、及び各第一端子と各第二端子を収納する絶縁性ハウジングからなるユーザ識別モジュールコネクタであって、
各前記第一端子及び各第二端子がそれぞれ一空間を形成する固定部と、前記固定部から前記空間に向かって延伸する接触部からなり、
前記各接触部と各固定部間が間隔を保持しており、前記絶縁性ハウジングは複数のそれぞれ各接触部を外に曝露する中空区域を形成し、
前記絶縁性ハウジングの任意の前記中空区域が検知端子を配置し、前記検知端子が作動空間を形成する検知固定部と前記検知固定部から前記作動空間に延伸する検知接触部からなり、前記検知固定部が絶縁性ハウジングに設けられ、且つ前記検知固定部から延伸する検知接触部と前記接触部が共同して前記絶縁性ハウジングの中空区域に配置され曝露されていることを特徴とする、
ユーザ識別モジュールコネクタ。
【請求項２】
前記各接触部及び検知接触部はいずれも延伸彎曲部を有し、各絶縁性ハウジングの中空区域に曝露している接触部及び検知接触部を前記絶縁性ハウジングの表面より突出させたことを特徴とする請求項１記載のユーザ識別モジュールコネクタ。
【請求項３】
前記各延伸彎曲部の自由部が抵触端を形成することを特徴とした請求項２記載のユーザ識別モジュールコネクタ。
【請求項４】
前記絶縁性ハウジングはインサート成型により前記第一端子、前記第二端子及び前記検知端子を被覆してなり、且つ前記第一端子及び前記各第二端子の接触部と前記検知端子の検知接触部が前記中空区域に曝露していることを特徴とする請求項１記載のユーザ識別モジュールコネクタ。
【請求項５】
前記各第一端子、前記各第二端子及び前記検知端子上に更にはんだ部を延伸し、且つ前記各はんだ部を前記絶縁性ハウジングの外側上に曝露させたことを特徴とする請求項１記載のユーザ識別モジュールコネクタ。
【請求項６】
前記検知端子を配置する前記中空区域が、その他前記中空区域より大きい事を特徴とする請求項１記載のユーザ識別モジュールコネクタ。
【考案の詳細な説明】
【技術分野】
【０００１】
本考案は、ユーザ識別モジュールコネクタに関し、特にユーザ識別モジュールコネクタ上の検知端子とアース端子を改良したコネクタに関する。
【背景技術】
【０００２】
日進月歩のテクノロジー時代においては、デジタルカメラ、ＰＤＡ，携帯電話など消費性電子商品は既に軽くて薄いサイズダウンの特性を持っている。普及率が日増しに向上するに伴い、携帯電話は人々にビジネスまたは生活において通信の快速さ、迅速さを提供してきたほか、通話通信、メッセージ伝送の機能以外にも、現在ではインターネット、Ｅメールの送受信、テレビ番組鑑賞、デジタルカメラなど多機能を提供し、現代人のビジネス、ライフスタイルにおける使用の需要に更にマッチしてきている。
【０００３】
各種携帯電話においては、いずれもユーザ識別モジュールカード（ｓｕｂｓｃｒｉｂｅｒ  ｉｄｅｎｔｉｔｙ  ｍｏｄｕｌｅ  ｃａｒｄ；ＳＩＭ  カード）が実装され、ユーザの身分、データの識別を行ない、且つＳＩＭカード上に導電面を有する。携帯電話が快速にＳＩＭカードと接続するよう、携帯電話にはいずれもＳＩＭカードコネクタが配置されており、ＳＩＭカードの導電面と電気的に接触して、確認手順を完了させ、無線通信サービスを提供する。
【０００４】
携帯電話で使用されるＳＩＭカードは体積が小さいので、使用するＳＩＭカードコネクタの体積も小さくなり、ＳＩＭカードをコネクタに挿入する際、ＳＩＭカードが確実に定位置に挿入されたかが、確認しにくい。図１は先行技術であるＳＩＭカードコネクタの略図である。
従来は、ＳＩＭカードコネクタ９０の一端上に、特別に検知端子９０１を設置し、ＳＩＭカードをＳＩＭカードコネクタ９０に挿入するとこの検知端子９０１に接触してＳＩＭカードが正確に定位置に挿入されているかを判別する。然しながら、このような配置のしかたはＳＩＭカードコネクタ９０の体積が増加するだけでなく、コストも増加する。
【考案の概要】
【考案が解決しようとする課題】
【０００５】
上記の問題に鑑みて、本考案の主な目的は、ユーザ識別モジュールコネクタであって、特に検知端子とアース端子を結合したコネクタを提供することである。
【０００６】
上記の目的によれば、本考案は複数の第一端子、複数の前記第一端子に対応して設けられた第二端子、及び各第一端子と各第二端子を設けた絶縁性ハウジングからなるユーザ識別モジュールコネクタであって、各前記第一端子及び各第二端子それぞれが一空間を形成する固定部と、前記固定部から前記空間に向かって延伸する接触部からなり、前記各接触部と各固定部間が間隔を保持しており、絶縁性ハウジングは複数のそれぞれ各接触部を外に曝露する中空区域を形成している。
このうちユーザ識別モジュールコネクタの特徴は、絶縁性ハウジングの任意の中空区域が検知端子を配置し、該検知端子が作動空間を形成する検知固定部と該検知固定部から前記作動空間に延伸する検知接触部からなり、前記検知固定部が絶縁性ハウジングに設けられ、且つ前記検知固定部が延伸する検知接触部と前記接触部が共同して絶縁性ハウジングの中空区域に配置され、曝露されている。
【考案の効果】
【０００７】
本考案が提供するユーザ識別モジュールコネクタは、検知端子とアース端子がいずれも同じ中空区域に配置され、ユーザ識別モジュールコネクタに検知構造を更に設置するという設計を簡素化したので、配線板（ＰＣＢ）の空間が簡略化できるだけでなく、コストも節減することができる。  
【図面の簡単な説明】
【０００８】
【図１】従来のＳＩＭカードコネクタの平面図。
【図２】本考案のユーザ識別モジュールコネクタの端子の平面図。
【図３Ａ】本考案のユーザ識別モジュールコネクタの絶縁性ハウジングと各端子の組合せ俯瞰図。
【図３Ｂ】本考案のユーザ識別モジュールコネクタの絶縁性ハウジングと各端子の組合せの平面図。
【図４】本考案のユーザ識別モジュールの端子の平面図。
【図５Ａ】本考案のユーザ識別モジュールコネクタにＳＩＭカードを挿入した実施例図。
【図５Ｂ】本考案のユーザ識別モジュールコネクタにＳＩＭカードを挿入した実施例図。
【考案を実施するための形態】
【０００９】
ここで、図面を併せて本考案の技術特徴と実施の形態について説明をする。
然し、以下の実施例は本創作を限定するものではない。
また、以下で参照する図面は、本考案の特徴に係る略図を示すものである。
【００１０】
図２を参照する。ユーザ識別モジュールコネクタは複数の第一端子３０及び複数の第二端子３２を有し、第二端子３２と第一端子３０は一対で対応して配置されている。このうち、各第一端子３０は空間を形成する固定部３０１及び固定部３０１から前記空間へ延伸する接触部３０３から形成されている。また各第二端子３２も空間を形成する固定部３２１及び前記固定部３２１から前記空間へ延伸する接触部３２３から形成されている。各第一端子３０の接触部３０３は固定部３０１に接続し、また固定部３０１と間隔を保持する。同様に、各第二端子３２の接触部３２３は固定部３２１と接続し、また固定部３２１との間に間隔をあけている。
【００１１】
このほか、一つの第一端子３０の領域に検知端子４０を配置する。検知端子４０は空間を形成する検知固定部４０１及び検知固定部４０１から前記空間に延伸する検知接触部４０３から形成されている。検知接触部４０３は検知固定部４０１に接続され、検知固定部４０１との間に間隔をあけている。
本考案のユーザ識別モジュールコネクタの第一端子３０と第二端子３２の配置個数はそれぞれ３個（計６個）であるが、本考案は第一端子３０と第二端子３２の配置個数を限定するものではない。この他、本考案の第一端子３０及び第二端子３２は、固定部３０１、３２１及び接触部３０３、３２３が一体成形され、検知端子４０の検知固定部４０１及び検知接触部４０３が同様に一体成形されている。また、固定部３０１、３２１、接触部３０３、３２３、検知固定部４０１及び検知接触部４０３はそれぞれ特定の幾何形状を有する。
【００１２】
同時に図３Ａと図３Ｂを参照すると、絶縁性ハウジング２０は複数の中空区域２０１を有し、第一端子３０、第二端子３２及び検知端子４０を絶縁性ハウジング２０内に配置収納しながら、その固定部３０１、３２１及び検知固定部４０１を被覆して各接触部３０３、３２３及び検知接触部４０３を中空区域２０１に曝露する。
このうち、検知接触部４０３といずれか一の接触部３０３’が同じ中空区域２０１’に曝露される。また、各第一端子３０、各第二端子３２及び検知端子４０上に更にはんだ部３０５、３２５、４０５を延伸し、外部の基板（ＰＣＢ）とはんだ付けし、且つ各はんだ部３０５、３２５、４０５を絶縁性ハウジング２０の外側２０３上に曝露させる。
【００１３】
各接触部３０３、３２３及び検知接触部４０３はいずれも延伸彎曲部３０３１、３２３１、４０３１を有し、各絶縁性ハウジング２０の中空区域２０１に曝露している接触部３０３、３２３及び検知接触部４０３を絶縁性ハウジング２０の表面より突出させ、且つ彎曲部３０３１、３２３１、４０３１の自由端に抵触部３０３３、３２３３、４０３３を形成して外部ＳＩＭカード（ＩＣカードなど）との接触に用いる。
本考案の絶縁性ハウジング２０はインサート成型により第一端子３０、第二端子３２及び検知端子４０を被覆してなるが、然し本考案の結合方式はこれに限られない。絶縁性ハウジング２０は高分子材質であって、第一端子３０、第二端子３２及び検知端子４０は金属材である。ここで、中空区域２０１の輪郭は幾何形状を有し、第一端子３０、第二端子３２及び検知端子４０の配置により変更される。
この他、中空区域２０１’内には接触部３２３及び検知接触部４０３が配置されるので、中空区域２０１’の大きさはその他中空区域２０１より大きく、二つの端子を収納することができる。但し、本考案においては中空区域２０１、２０１’の大きさは限定されない。
【００１４】
図４を参照すると、本考案のユーザ識別モジュールコネクタは７つの端子を有し、それぞれ直列データ出入力端子Ａ（ｓｅｒｉａｌ  ｄａｔａ  ｉｎｐｕｔ／ｏｕｔｐｕｔ）、プログラミング電圧端子Ｂ（ｐｒｏｇｒａｍｍｉｎｇ  ｖｏｌｔａｇｅ）、検知端子Ｃ（ｓｗｉｔｃｈ）、アース端子Ｄ（ｐｏｗｅｒ  ａｎｄ  ｓｉｇｎａｌ  ｇｒｏｕｎｄ）、クロックシグナル端子Ｅ（ｃｌｏｃｋｉｎｇ  ｓｉｇｎａｌ）、リセットシグナル端子Ｆ（ｒｅｓｅｔ  ｓｉｇｎａｌ）及び電位端子Ｇ（ｐｏｗｅｒ  ｖｏｌｔａｇｅ）を有する。このうち検知端子Ｃとアース端子Ｄはいずれも同一の中空区域２０１’に配置される。
【００１５】
先ず、図５Ａをみると、ＳＩＭカード（或いはＩＣカード）５０上に８個の接触域５０１（通常携帯通信ＳＩＭカードはこのうち６つの接触域５０１のみを使用し、のこり２つの予備接触域５０３、５０５は使用する必要がない。ここではこの６つの接触域５０１について説明する）を有する。このうち６つの接触域５０１はユーザ識別モジュールコネクタ上の各端子（即ち接触部３０３、３２３と検知接触部４０３）に対応する。
ＳＩＭカード５０が挿入されると（例：携帯電話又はタブレットのＳＩＭカードスリット）、その接触域５０１がまず直列データ出入力端子Ａ、プログラミング電圧端子Ｂ、アース端子Ｄ、クロックシグナル端子Ｅ，リセットシグナル端子Ｆ及び電位端子Ｇの６つの端子に接触する。次に、５Ｂ図をみると、ＳＩＭカード５０が完全に挿入されると、アース端子Ｄに位置する接触域５０１が同時に検知端子Ｃとアース端子Ｄに接触して、両端子が回路を形成する。
【００１６】
この両端子が回路を形成する主な目的は、電子製品（例えば携帯電話やタブレット）が明確にＳＩＭカード５０がＳＩＭカードスリットに確実に挿入したかを検知することで、検知端子Ｃとアース端子Ｄをいずれも同じ中空領域２０１’に配置する設計をとりユーザ識別モジュールコネクタに検知構造を設置する必要があった設計を簡略化し、配線板（ＰＣＢ）の空間の簡素化だけでなく、コストの節減も可能である。
この他、更に強調すべきは、本考案は検知端子Ｃとアース端子Ｄをいずれも同じ中空領域２０１’に配置する設計により、信号同士の干渉が比較的低くなるが、本考案は検知端子Ｃとその他端子を同じ中空領域２０１に配置する設計に限定されないので、再度説明をしておく。
また、今後のＳＩＭカード５０接触域５０１の変化、或いはＩＣカードやクレジットカードなど比較的接触域が多いもの（例えば接触域５０３、５０５）を使用しても、本考案のユーザ識別モジュールコネクタ上の中空領域２０１及び第一端子３０、第二端子３２は、変化に応じて配置個数を変更できるので、本考案は中空領域２０１及び第一端子３０、第二端子３２の配置個数について限定をするものではない。
【００１７】
以上、本考案の実施例を図面を参照して詳述してきたが、具体的な構成は、この実施例に限られるものではなく、本考案の要旨を逸脱しない範囲の設計変更等があっても、本考案に含まれる。    
【符号の説明】
【００１８】
絶縁性ハウジング  ２０
中空区域  ２０１、２０１’
外側  ２０３
第一端子  ３０
固定部  ３０１
接触部  ３０３、３０３’
彎曲部  ３０３１
抵触部  ３０３３
はんだ部  ３０５
第二端子  ３２
固定部  ３２１
接触部  ３２３
彎曲部  ３２３１
抵触部  ３２３３
はんだ部  ３２５
検知端子  ４０
検知固定部  ４０１
検知接触部  ４０３
彎曲部  ４０３１
抵触部  ４０３３
はんだ部  ４０５
ＳＩＭカード  ５０
接触域  ５０３、５０５
ＳＩＭカードコネクタ  ９０
検知端子  ９０１
直列データ出入力端子  Ａ
プログラミング電圧端子  Ｂ
検知端子  Ｃ
アース端子  Ｄ
クロックシグナル端子  Ｅ
リセットシグナル端子  Ｆ
電位端子  Ｇ
【図１】
0003193020.tif 000003
【図２】
0003193020.tif 000004
【図３Ａ】
0003193020.tif 000005
【図３Ｂ】
0003193020.tif 000006
【図４】
0003193020.tif 000007
【図５Ａ】
0003193020.tif 000008
【図５Ｂ】
0003193020.tif 000009